(57)【要約】【課題】設置スペースの削減を図ることができ、使い勝手も優れたユニットバスを提供する。【解決手段】ユニットバス１０は、周囲から区画された浴室ＢＲを形成するため平面視形状が四角形をなすように立設された四つの壁体１１，１２，１３，１４と、外周縁の一部である辺縁部１５ａ，１５ｂ，１５ｃ，１５ｄがそれぞれ四つの壁体１１，１２，１３，１４に当接した状態で浴室ＢＲ内に配置された浴槽１５と、壁体１１〜１４に当接していない浴槽１５の辺縁部１５ｅに臨む位置に設けられた床面部１６と、この床面部１６に臨む壁体１１の一部に開設された開閉扉１７付きの出入口１８と、を備えている。浴槽１５内部の辺縁部１５ｂに臨む部分には、辺縁部１５ｄ方向に略水平に突出した段差部１５ｇが設けられている。【選択図】図１
2009068201.tif 000002
【特許請求の範囲】
【請求項１】
浴室を形成するため平面視形状が四角形をなすように立設された四つの壁体と、外周縁の一部が四つの前記壁体に当接した状態で前記浴室内に配置された浴槽と、前記壁体に当接していない前記浴槽の外周縁に臨む位置に設けられた床面部と、前記床面部に臨む位置に開設された開閉扉付きの出入口と、を備えたことを特徴とするユニットバス。
【請求項２】
前記浴室のコーナーに前記床面部を設けたことを特徴とする請求項１記載のユニットバス。
【請求項３】
前記開閉扉が、前記浴室内へ屏風状に折り曲げて開放可能であることを特徴とする請求項１または２記載のユニットバス。
【請求項４】
前記浴槽内に略水平に突出した段差部を設けたことを特徴とする請求項１〜３のいずれかに記載のユニットバス。
【発明の詳細な説明】
【技術分野】
【０００１】
本発明は、一般住宅、マンション、アパートなどの入浴設備として使用されるユニットバスに関する。
【背景技術】
【０００２】
ユニットバスは、短時間での施工が可能であり、階下への水漏れのリスクも少ない事から、従来、戸建住宅からマンション、アパート等に至るまで様々な建築物に用いられているが、本願に関連するユニットバスとして、例えば、特許文献１記載のものがある。特許文献１記載のユニットバスにおいては、四つの壁パネルで区画された空間内に浴槽および洗い場が設けられ、湯桶が載置可能な幅の桶台が防水パンの洗い場の一側縁に立ち上げて一体状に形成されている。
【０００３】
【特許文献１】特開平１１−８９７４０号公報
【発明の開示】
【発明が解決しようとする課題】
【０００４】
特許文献１記載のユニットバスは、その内部に浴槽、洗い場および桶台などが設けられているため、入浴者の使い勝手は良好であるが、建築物内に設置する場合、比較的広いスペースが必要である。このため、設置スペースの制限が多いマンションやアパートなどの集合住宅には不向きである。
【０００５】
本発明が解決しようとする課題は、設置スペースの削減を図ることができ、使い勝手にも優れたユニットバスを提供することにある。
【課題を解決するための手段】
【０００６】
本発明のユニットバスは、浴室を形成するため平面視形状が四角形をなすように立設された四つの壁体と、外周縁の一部が四つの前記壁体に当接した状態で前記浴室内に配置された浴槽と、前記壁体に当接していない前記浴槽の外周縁に臨む位置に設けられた床面部と、前記床面部に臨む位置に開設された開閉扉付きの出入口と、を備えたことを特徴とする。
【０００７】
このような構成において、浴槽の外周縁の一部が四つの壁体に当接した状態で浴室内に配置されたことにより、浴槽の外周縁と壁体との間の余分なスペースを排除することができるため、設置スペースの削減を図ることができる。また、壁体と当接していない浴槽の外周縁に臨む位置に床面部が設けられ、この床面部に臨む位置に開閉扉付きの出入口が開設されているため、出入りがし易い。さらに、浴槽内において、身体を洗ったり、シャワーを浴びたりすることができるので、使い勝手も優れている。
【０００８】
ここで、前記浴室のコーナーに前記床面部を設けることが望ましい。このような構成とすれば、浴室内の限られたスペース内において、比較的広い床面部を確保することができるため、さらに出入りがし易くなる。
【０００９】
また、前記開閉扉が、前記浴室内へ屏風状に折り曲げて開放可能な構造とすれば、開閉扉を開放操作したとき、当該開閉扉が壁体の外側へ突出しないので、出入口周辺に扉開放用スペースを設ける必要がなくなり、ユニットバス設置用のスペース削減に有効である。
【００１０】
一方、前記浴槽内に略水平に突出した段差部を設ければ、浴槽が空のとき、入浴者は段差部に腰掛けた楽な姿勢で、身体を洗ったり、シャワーを浴びたりすることができるため、使い勝手が良くなり、肉体的負担も緩和される。また、入浴者が湯船に浸かった状態で段差部に腰掛けることもできるので、入浴中、楽な姿勢をとることができる。このため、長湯をしたり、半身浴をしたりするときの肉体的負担を大幅に軽減することができる。
【発明の効果】
【００１１】
本発明により、設置スペースの削減を図ることができ、使い勝手も優れたユニットバスを提供することができる。
【発明を実施するための最良の形態】
【００１２】
以下、図面に基づいて、本発明の実施の形態について説明する。図１は本発明の第１実施形態であるユニットバスの天井板を省略した状態の斜視平面図、図２は図１に示すユニットバスの平面図、図３は図２に示すユニットバスを構成する浴槽の斜視図、図４は図１に示すユニットバスの正面の壁体を省略した状態の正面図、図５は図１に示すユニットバスの左側面の壁体を省略した状態の左側面図、図６は図１に示すユニットバスを右側面の壁体を省略した状態の右側面図、図７は図１に示すユニットバスの背面の壁体を省略した状態の背面図である。
【００１３】
図１〜図２に示すように、本実施形態のユニットバス１０は、周囲から区画された浴室ＢＲを形成するため平面視形状が四角形をなすように立設された四つの壁体１１，１２，１３，１４と、外周縁の一部である辺縁部１５ａ，１５ｂ，１５ｃ，１５ｄがそれぞれ四つの壁体１１，１２，１３，１４に当接した状態で浴室ＢＲ内に配置された浴槽１５と、壁体１１〜１４に当接していない浴槽１５の辺縁部１５ｅに臨む位置に設けられた床面部１６と、この床面部１６に臨む壁体１１の一部に開設された開閉扉１７付きの出入口１８と、を備えている。
【００１４】
また、図４に示すように、設置面Ｆから少し浮かせた状態でユニットバス１０を設置するため、複数の支持脚１０ａが底部１０ｂに設けられている。底部１０ｂから下方へ突設された支持脚１０ａの長さはそれぞれ独立して変更可能であるため、設置面Ｆに多少の凹凸や傾斜があっても、ユニットバス１０を水平に設置することができる。
【００１５】
浴室ＢＲの上面は天井板１９で覆われ、その一部に換気口２０が設けられている。浴室ＢＲ内の壁体１４の上方には照明灯２１が設けられ、浴槽１５の辺縁部１５ｅに湯水混合水栓２２および棚部２４が設けられ、壁体１１内面にシャワー２３が着脱可能に配置されている。浴槽１５の底部および床面部１６には、それぞれ排水口１５ｆ，１６ａが設けられ、これらの排水口１５ｆ，１６ａから排出された排水はユニットバス１０の底面に設けられた排水器具２５に集まり、所定の排水経路に排出される。
【００１６】
図３に示すように、浴槽１５は床面部１６と一体構造をなし、その外周部の平面視形状は、図１，図２に示すように、長方形をなしている。浴槽１５の辺縁部１５ａ，１５ｂ，１５ｃ，１５ｄは直線状であり、辺縁部１５ｅは湯船側に凹んだ湾形状である。浴槽１５内部の辺縁部１５ｂに臨む部分には、辺縁部１５ｄ方向に略水平に突出した段差部１５ｇが設けられている。図４〜図７に示すように、浴槽１５および床面部１６の外周部分に、四つの壁体１１，１２，１３，１４の下縁部を係止するための溝状係止部２６が設けられている。
【００１７】
ユニットバス１０においては、浴槽１５の外周縁の一部である辺縁部１５ａ，１５ｂ，１５ｃ，１５ｄを、四つの壁体１１，１２，１３，１４に当接した状態で浴室ＢＲ内に配置することにより、浴槽１５の外周縁と壁体１１，１２，１３，１４との間の余分なスペースを排除しているため、設置スペースを削減することができる。また、壁体１２と浴槽１５との間には床面部１６が設けられ、開閉扉１７付きの出入口１８が床面部１６に臨む壁体１１と略同一面に開設されているため、出入りがし易く、使い勝手も優れている。
【００１８】
図１，図２に示すように、床面部１６を浴室ＢＲのコーナー部に設けているため、無駄な空間となりがちな浴室ＢＲ内のコーナー部分を、浴室ＢＲへの出入り用スペースとして有効活用することができる。また、浴室ＢＲ内の限られたスペース内において、比較的広い床面部１６を確保することができる。
【００１９】
また、ユニットバス１０の外側から開閉扉１７を浴室ＢＲ側に押圧したり、浴室ＢＲ側に設けられた開閉扉１７の取っ手１７ａを浴室ＢＲ内に引いたりすれば、開閉扉１７は、床面部１６に向かって屏風状に折れ曲がり、出入口１８が開放される。即ち、開閉扉１７を開放操作したとき、当該開閉扉１７が壁体１１の外側へ突出しないので、出入口１８周辺に扉開放用スペースを設ける必要がない。このため、開閉扉１７は、ユニットバス１０の設置スペースの低減に有効である。さらに、図５に示すように、開閉扉１７には透光性を有する曇りガラス１７ｇが嵌め込まれているため、ユニットバス１０が使用中であるか否かを外部から確認することができる。
【００２０】
さらに、図３に示すように、浴槽１５内に略水平に突出した段差部１５ｇを設けたことにより、浴槽１５が空のとき、入浴者は段差部１５ａに腰掛けた楽な姿勢で、身体を洗ったり、シャワーを浴びたりすることができるため、使い勝手が良く、肉体的負担も緩和される。また、浴槽１５に湯が張られているときも、入浴者は湯船に浸かった状態で段差部１５ａに腰掛けることができるので、入浴中も楽な姿勢をとることができる。このため、長湯をしたり、半身浴をしたりするときの肉体的負担を大幅に軽減することができる。
【００２１】
ユニットバス１０を組み立てる場合、図３に示すように、一体構造をなす浴槽１５および床面部１６を、図４に示すように設置面Ｆ上に載置し、複数の支持脚１０ａの長さを調整して水平状態に設定した後、浴槽１５および床面部１６の外周部分に設けられた溝状係止部２６（図４〜図７参照）に、それぞれ四つの壁体１１，１２，１３，１４の下縁部を係止するとともに、隣接する四つの壁体１１，１２，１３，１４を接合し、その上面に天井板１９を取り付ける。
【００２２】
この後、湯水混合栓２２と給湯給水経路（図示せず）との接続、排水器具２５と排水経路（図示せず）との接続、換気口２０と給排気経路（図示せず）との接続、電気配線を行えば、ユニットバス１０が完成する。また、前述と逆の手順をとれば、ユニットバス１０を分解することができる。従って、ユニットバス１０の設置および撤去は容易である。
【００２３】
次に、図８〜図１１に基づいて、本発明の第２，第３実施形態について説明する。図８は本発明の第２実施形態であるユニットバスを示す斜視図、図９は図８に示すユニットバスの天井板を省略した状態の平面図である。また、図１０は本発明の第３実施形態であるユニットバスを示す斜視図、図１１は図１０に示すユニットバスの天井板を省略した状態の平面図である。なお、図８〜図１１において図１〜図７と同じ符号を付している部分はユニットバス１０の構成部分と同じ構造、機能を有する部分であり、説明を省略する。
【００２４】
図８，図９に示すユニットバス３０においては、開閉扉１７付きの出入口３８が、図２に示すユニットバス１０の出入口１８と９０度異なる壁体３２と略同一面に開設されている。出入口１８は床面部１６に臨む位置にあるため、出入りがし易く、使い勝手も優れている。なお、図７に示すように、ユニットバス１０を構成する壁体１２は分離可能な二枚の小壁体１２ａ，１２ｂで形成されているため、一方の小壁体１２ａを取り外して、この位置に開閉扉１７付きの出入口３８を配置し、壁体１１および開閉扉１７付きの出入口３８があった位置に壁体３１（図９参照）を配置すれば、ユニットバス３０を形成することができる。従って、ユニットバス１０，３０の構成部材を共通化することができ、設置現場に適した施工を行うことができる。
【００２５】
次に、図１０，図１１に示すユニットバス５０においては、開閉扉１７付きの出入口５８は、図８に示すユニットバス３０の出入口３８と同じ位置に開設されているが、出入口５８と略同一面をなす壁体５２、および当該壁体５２と直交する壁体５３の上方に透明ガラス５２ｇ，５３ｇが嵌め込まれている。これらの透明ガラス５２ｇ，５３ｇは浴槽５５の辺縁部５５ｂ，５５ｓから天井板５９までの範囲内に嵌め込まれている。
【００２６】
このように、ユニットバス５０の正面および左側面の一部を透明ガラス５２ｇ，５３ｇで構成することにより、浴室ＢＲ内の開放感を大幅に高めることができる。また、透明ガラス５２ｇ，５３ｇを通して部屋の窓の外の景色や室内のテレビなどを見ることもできるので、一人暮らしの住居などに好適に設置することができる。なお、透明ガラスの領域は図１０に示す形態に限定しないので、施工条件に応じて、他の壁面まで拡張したり、縮小したりすることができる。また、外部からの視認を回避したいときは、透明ガラスの代わりに、曇りガラスなどを使用することもできる。
【００２７】
また、図１１に示すように、ユニットバス５０を構成する浴槽５５は、その辺縁部５５ａ，５５ｂ，５５ｃ，５５ｄがそれぞれ四つの壁体５１，５２，５３，５４に当接した状態で浴室ＢＲ内に配置され、浴槽５５内には水平に突出した段差部５５ｇが設けられている。段差部５５ｇの使い方及びその作用効果は、図２に示すユニットバス１０の浴槽１５の段差部１５ｇと同様であるが、ユニットバス５０の場合、辺縁部５５ｂ，５５ｃ，５５ｄに臨む位置にある、浴槽５５の内周面が滑らかに連続する曲面で形成されているため、身体が触れたときの感触が極めて良好であり、入浴者のリラックス感が大幅に向上する。
【産業上の利用可能性】
【００２８】
本発明のユニットバスは、一般住宅、マンション、アパートなどの入浴設備として広く利用することができる。
【図面の簡単な説明】
【００２９】
【図１】本発明の第１実施形態であるユニットバスの天井板を省略した状態の斜視平面図である。
【図２】図１に示すユニットバスの平面図である。
【図３】図２に示すユニットバスを構成する浴槽の斜視図である。
【図４】図１に示すユニットバスの正面の壁体を省略した状態の正面図である。
【図５】図１に示すユニットバスの左側面の壁体を省略した状態の左側面図である。
【図６】図１に示すユニットバスの右側面の壁体を省略した状態の右側面図である。
【図７】図１に示すユニットバスの背面の壁体を省略した状態の背面図である。
【図８】本発明の第２実施形態であるユニットバスを示す斜視図である。
【図９】図８に示すユニットバスの天井板を省略した状態の平面図である。
【図１０】本発明の第３実施形態であるユニットバスを示す斜視図である。
【図１１】図１０に示すユニットバスの天井板を省略した状態の平面図である。
【符号の説明】
【００３０】
１０，３０，５０  ユニットバス
１０ａ  支持脚
１０ｂ  底部
１１，１２，１３，１４，３１，３２，５１，５２，５３，５４  壁体
１２ａ，１２ｂ  小壁体
１５，５５  浴槽
１５ａ，１５ｂ，１５ｃ，１５ｄ，１５ｅ，５５ａ，５５ｂ，５５ｃ，５５ｄ，５５ｅ  辺縁部
１５ｆ，１６ａ  排水口
１５ｇ，５５ｇ  段差部
１６  床面部
１７  開閉扉
１７ａ  取っ手
１７ｇ  曇りガラス
１８，３８，５８  出入口
１９，５９  天井板
２０  換気口
２１  照明灯
２２  湯水混合水栓
２３  シャワー
２４  棚部
２５  排水器具
２６  溝状係止部
５２ｇ，５３ｇ  透明ガラス
ＢＲ  浴室
Ｆ  設置面
【図１】
2009068201.tif 000003
【図２】
2009068201.tif 000004
【図３】
2009068201.tif 000005
【図４】
2009068201.tif 000006
【図５】
2009068201.tif 000007
【図６】
2009068201.tif 000008
【図７】
2009068201.tif 000009
【図８】
2009068201.tif 000010
【図９】
2009068201.tif 000011
【図１０】
2009068201.tif 000012
【図１１】
2009068201.tif 000013